(57)【特許請求の範囲】
【請求項１】
ラック等の本体に固定される固定側レールと、固定側レールに対し摺動自在に配設された移動側レールと、移動側レールの前端部内面に設けられたロック片とよりなるスライドレールにおいて、前記固定側レールの基板前端部に移動側レールの方向に突出する係止突片が形成され、前記ロック片は、移動側レールの前方に突出する操作突部と、係止突片側に突出し前端が係止突片に係止する位置で、後端が係止突片から外れた位置に傾斜する案内傾斜片と、案内傾斜片の係止状態を維持する係止状態維持部を有し、移動側レールと平行に回動自在で、常に案内傾斜片が係止突片に係止する方向に回動力が付与されている事を特徴とするスライドレールのロック装置
【発明の詳細な説明】
【０００１】
【産業上の利用分野】
本発明は、コンピューター等の機器類が本体内に収納された状態を維持するスライドレールのロック装置に関するものである。
【０００２】
【従来の技術】
従来、抽斗あるいはコンピューター等の機器類が本体内に収納された状態を維持するスライドレールのロック装置として、固定側レールの端部を内方に折り曲げて形成した抜止ストッパーに弾性体からなる山形の係合突部を有するはね返り防止部材をとりつけ、該係合突部を移動側レールの端部を内方に折り曲げてもうけたストッパーに係合せしめる事により、移動側レールが固定側レールに最も収納された状態を維持したり（例えば、実開昭５７ー１８９４５０号）、あるいは、固定側レールの基板の後端の一部に弾性を付与して移動側レール側に突出せしめてはね返り防止突片を形成すると共に、移動側レールの後端内面にはね返り防止突片の後端が弾性的に当接するストッパー部を形成したもの（実開昭６０ー１８７６３３号）が提供されてきた。
【０００３】
しかし、これらはいずれも、移動側レールが固定側レールに収納された状態で、移動側レールが弾性的に固定側レールと係止されているだけであるので、輸送途中、あるいは地震等で本体が、傾いたり揺動したりすると、不測に機器類等が飛び出す恐れがあった。
【発明が解決しようとする課題】
【０００４】
本発明は、上記欠点を解決する事を課題とし、簡単な構造で機器類の不測の飛び出しが完全に防止できるスライドレールのロック装置を提供する事を目的とする。
【０００５】
【課題を解決する為の手段】
上記課題を解決する為、本発明が手段とする特徴は、ラック等の本体に固定される固定側レールと、固定側レールに対し摺動自在に配設された移動側レールと、移動側レールの前端部内面に設けられたロック片とよりなるスライドレールにおいて、前記固定側レールの基板前端部に移動側レールの方向に突出する係止突片が形成され、前記ロック片は、移動側レールの前方に突出する操作突部と、係止突片側に突出し前端が係止突片に係止する位置で、後端が係止突片から外れた位置に傾斜する案内傾斜片と、案内傾斜片の係止状態を維持する係止状態維持部を有し、移動側レールと平行に回動自在で、常に案内傾斜片が係止突片に係止する方向に回動力が付与されているものである。
【０００６】
【実施例】
本発明の実施例を図面に基づいて説明する。
符号１００はスライドレールを示し、スライドレール１００は、コンピューターラック等の本体内面に連結される固定側レール１と、固定側レール１に対し、ボール保持板５に回転自在に保持された複数個のボール５０・・・を介して摺動自在に設けられた中間レール４と、中間レール４に対し、ボール保持板３に回転自在に保持された複数個のボール４０・・・を介して摺動自在に設けられた移動側レール２と、移動側レール２の前端部内面に設けられ、移動側レール２が固定側レール１に収納された状態を保持するロック片６より構成されている。
【０００７】
固定側レール１は、金属製の細長条板の短手両端部を外向き円弧状に折り曲げて形成された内面長手方向（摺動方向）にボール案内溝を有する折曲縁１１、１１と、基板１２より断面略Ｃ字形をなし、摺動方向前端部に、基板１２の一部を移動側レール２方向に突出せしめた係止突片１３が形成されている。
【０００８】
移動側レール２は、固定側レール１とほぼ同等の長さで、金属製の細長条板の短手両端部を内向き円弧状に折り曲げて形成された外面長手方向（摺動方向）にボール案内溝を有する折曲縁２１、２１と、基板２２より固定側レール１に対向する断面略Ｃ字形に形成され、基板２２の前端部には、前記ロック片６の取付孔２２１が形成されている。
【０００９】
中間レール４は、移動側レール２よりやや短めの長さで、金属性の細長条板の短手側中央部を移動側レール２方向に略コ字形に突出せしめた基板４２と、基板４２の短手側両端部を内向き円弧状に折り曲げて外面長手方向に（摺動方向）に外側ボール案内溝が形成され、さらに連続して、移動側レール２側端部を外側ボール案内溝に対向して、外向き円弧状に折り曲げて内面長手方向に（摺動方向）に内側案内溝が形成された折曲縁４１、４１より断面略Ｃ字形に形成されている。
【００１０】
ボール保持板５は、帯条金属板にて固定側レール１と中間レール４間に挿入可能な大きさで、中間レール４より所定寸法短くした基板５２と、固定側レール１と中間レール４の各折曲縁１１、１１、４１、４１間に位置する突出縁５１、５１より断面略コ字形に形成され、突出縁５１、５１の長手方向（摺動方向）数個所でボール５０・・・を回転自在に保持している。
【００１１】
ボール保持板５は、帯条金属板にて移動側レール２と中間レール４間に挿入可能な大きさで、中間レール４より所定寸法短くした基板３２と、移動側レール２と中間レール４の各折曲縁２１、２１、４１、４１間に位置する突出縁３１、３１より断面略コ字形に形成され、突出縁３１、３１の長手方向（摺動方向）数個所でボール４０・・・を回転自在に保持している。
【００１２】
スライドレール１００は上記の如く構成され、移動側レール２が最も引き出された状態で、移動側レール２の基板２２の一部に形成された移動側レール伸長時ストッパー（図示せず。）が、ボール保持板３の後端部に形成された移動側レール後部ストッパー（図示せず。）に当接して、移動側レール２は停止する。そして、これと同時に、ボール保持板３はその前端部が中間レール４の基板４２の前端部に形成されたボール保持板前端ストッパー（図示せず。）に当接して停止し、同時に、中間レール４の基板４２の後端部に形成された中間レール後部ストッパー（図示せず。）が、ボール保持板５の後端部に形成された中間レールストッパー（図示せず。）に当接して、中間レール４は停止する。そして、これと同時に、ボール保持板３は、その前端部が固定側レール１の基板１２に形成されたボール保持板前部ストッパー（図示せず。）に当接して停止し、スライドレール１００は最大伸長状態となる。この時、ボール保持板３、５は移動側レール２、中間レール４の移動距離の２分の１移動する。
【００１３】
一方、スライドレール１００の最大伸長状態から、移動側レール２を固定側レール１に収納していくと、、移動側レール２は、前記移動側レール２の後端が、中間レール４の後端部に形成された移動側レール後部ストッパー（図示せず。）に当接して停止し、次に中間レール４は、基板４２の後端部が固定側レール１の後端部に形成された中間レール後端ストーパー（図示せず。）に当接して停止し、スライドレール１００は最大縮小状態となる。
この時、ボール保持板３、５は移動側レール２、中間レール４の移動距離の２分の１移動する。
【００１４】
ロック片６は、移動側レール２の基板２２に形成された取付孔２２１にリベット６０が貫通孔６１１を挿通して移動側レール２の基板２２と連結され、基板２２と平行に回動自在に取付られる取付部６１と、ロック片６の取付状態で移動側レール２の前方に突出する操作突部６２と、操作突部６２と取付部６１間で、係止突片１３側に突出し、スライドレール１００の最大縮小状態で、前端が係止突片１３に係止する位置で、後端が係止突片１３から外れた位置に傾斜する案内傾斜片６３と、下端部が移動側レール２の折曲縁２１の内面に当接して案内傾斜片６３の係止状態を維持する係止状態維持部６４を有している。
【００１５】
そして、ロック片６は、リベット６０に外嵌し常に広がる方向に付勢された巻バネ７の一端を移動側レール２の折曲縁２１の内面に当接し、他端を案内傾斜片６３の上面に当接せしめて、常に案内傾斜片６３が係止突片１３に係止する方向に回動力が付与されて、移動側レール２の基板２２と平行に回動自在に取付られている。
【００１６】
上記の如く構成されたスライドレール１００は、図１に示す状態から、移動側レール２を後方に移動させると（移動側レール２を固定側レール１に収納していくと）、ロック片６の案内傾斜片６３の裏面が固定側レール１の係止突片１３に接触し（図１仮想線に示す状態。）、さらに移動側レール２の移動にともなって案内傾斜片６３は係止突片１３に押上げられて、ロック片６は巻バネの付勢に抗して上方に回動しながら、係止突片１３上を通過する。
そして、案内傾斜片６３は係止突片１３上を通過すると同時に、巻バネ７の付勢によって回動し、係止状態維持部６４の下端面が移動側レール２の折曲縁２１の内面前端に当接し回動は停止する。この状態で案内傾斜片６３の前端は係止突片１３の裏面に位置し移動側レール２の前方への飛び出しを防止する（図３に示す状態）。
【００１７】
次に、図３に示す状態から、移動側レール２を引き出す場合は、移動側レール２の前方に突出したロック片６の操作突部６２の前端を上方持ち上げ、案内傾斜片６３の前端を係止突片１３の上方に位置せしめる（図５に示す状態）。
そしてこの状態を維持しながら移動側レール２を前方に移動せしめ、案内傾斜片６３を係止突片１３上より前方に通過せしめる（図１に示す状態）。
【００１８】
【発明の効果】
本発明によれば、固定側レールの基板前端部に移動側レールの方向に突出する係止突片を形成し、移動側レールの前端に設けたロック片に、移動側レールの前方に突出する操作突部と、係止突片側に突出し前端が係止突片に係止する位置で、後端が係止突片から外れた位置に傾斜する案内傾斜片と、案内傾斜片の係止状態を維持する係止状態維持部を設け、移動側レールと平行に回動自在で、常に案内傾斜片が係止突片に係止する方向に回動力を付与しているので、移動側レールを固定側レールに収納していくと、ロック片は自動的に係止突片に係止するので特別な操作が全く必要なく、スライドレールの最大短縮状態で、不用意に移動側レールが飛び出す恐れが一切ない。
また、移動側レールを引き出す時は、ロック片の操作突部を持ち上げるだけの簡単な操作で、係止突片と案内傾斜面の係止状態が解除されるので、操作が容易である。
さらに、ロック片は移動側レールに設けられ、ロック片の操作突部は移動側レールの前方に突出しているので、操作突部の操作時あるいは移動側レールの移動時に指先が各レール間にはさまれることもない。
【図面の簡単な説明】
【図１】本発明の移動側レールが引き出された状態の一部側面図である。
【図２】ロック片の斜視図である。
【図３】本発明のスライドレールの最大短縮状態の一部側面図である。
【図４】図３に対応する拡大正面図である。
【図５】ロック片と係止突片の係止状態を解除した状態の一部側面図である。
【図６】図５に対応する拡大正面図である。
【符号の説明】
１                    固定側レール
１３                  係止突片
１００                スライドレール
２                    移動側レール
６                    ロック片
６２                  操作突部
６３                  案内傾斜片
【図１】
0003594494.tif 000002
【図２】
0003594494.tif 000003
【図３】
0003594494.tif 000004
【図４】
0003594494.tif 000005
【図５】
0003594494.tif 000006
【図６】
0003594494.tif 000007